(57)【要約】【課題】足裏保持部を有するマッサージ機であっても脚の伸縮によるマッサージの効果を下げることなくマッサージ行うことができるマッサージ機を提供する。【解決手段】被施療者Ｍが着座する座部１と、前記被施療者Ｍの脚を狭持する脚狭持手段を有し、前記座部１に回動可能に接続されて当該座部１から離れる方向または当該座部１に近づく方向にスライド移動する脚載部３と、前記脚載部３に接続され前記被施療者Ｍの足裏を支持する足裏支持体４を備えるマッサージ機であって、前記足裏支持体４を前記被施療者Ｍの足裏から離れる方向に移動後、前記脚載部３を下方向に回動させて施療を行うことを特徴とする。【選択図】図１
2008295879.tif 000002
【特許請求の範囲】
【請求項１】
被施療者が着座する座部と、
前記被施療者の脚を狭持する脚狭持手段を有し、前記座部に回動可能に接続されて当該座部から離れる方向または当該座部に近づく方向にスライド移動する脚載部と、
前記脚載部に接続され前記被施療者の足裏を支持する足裏支持体を備えるマッサージ機であって、
前記足裏支持体を前記被施療者の足裏から離れる方向に移動後、上記脚狭持手段により被施療者の脚を狭持した状態で前記脚載部を下方向に回動させて施療を行うことを特徴とするマッサージ機。
【請求項２】
請求項１に記載のマッサージ機において、
前記足裏支持体の移動が前記脚載部の脚狭持手段により被施療者の脚を狭持した状態で実行されることを特徴とするマッサージ機。
【請求項３】
請求項１または２に記載のマッサージ機において、
前記被施療者の身体を昇降させる昇降手段を備えることを特徴とするマッサージ機。
【請求項４】
請求項１または２に記載のマッサージ機において、
前記被施療者の大腿部の裏に対応する位置において昇降動作をする昇降手段を備えることを特徴とするマッサージ機。
【請求項５】
請求項３または４に記載のマッサージ機において、
前記脚載部の回動及び／またはスライド移動に応じて前記昇降手段が昇降動作を行うことを特徴とするマッサージ機。
【請求項６】
請求項３ないし５のいずれかに記載のマッサージ機において、
前記昇降手段が、スライド移動により設定された足裏支持体の施療開始位置に応じて上昇する動作をすることを特徴とするマッサージ機。
【請求項７】
請求項１ないし６のいずれかに記載のマッサージ機において、
脚載部の足裏支持体が被施療者の足裏から離れる方向に移動する前に、前記座部に近づく方向にスライド移動することを特徴とするマッサージ機。
【請求項８】
請求項７に記載のマッサージ機において、
前記脚載部の足裏支持体が、前記座部に近づく方向にスライド移動する際に、前記昇降手段が上昇することを特徴とするマッサージ機。
【請求項９】
請求項７または８に記載のマッサージ機において、
スライド移動により設定された足裏支持体の施療開始位置が、前記座部から離れる方向にスライド移動することができる限界位置にほぼ等しい場合にのみ、当該脚載部が前記座部に近づく方向にスライド移動することを特徴とするマッサージ機。
【請求項１０】
請求項３ないし６のいずれかに記載のマッサージ機において、
前記昇降手段が、エアバッグで形成され、当該エアバッグの給排気により昇降動作を行うことを特徴とするマッサージ機。
【発明の詳細な説明】
【技術分野】
【０００１】
本発明は被施療者の脚を伸縮するストレッチによりマッサージを行うマッサージ機に関し、特に足裏を保持する手段を設けたマッサージ機に関する。
【背景技術】
【０００２】
本発明の背景技術となるマッサージ機としては、特許文献１に示すものがある。特許文献１に示す技術は、肩、背中、首などのマッサージに比べてマッサージ効果の低い脚載部における脚マッサージをより効果的に行えるようにしたマッサージ機に関する技術であり、具体的には図１０を用いて説明する。
【０００３】
図１０（ａ）の○で示したのは、エアセルＳの略中心位置であり、この中心位置をエアセルＳによる施療位置とする。一方、×で示したのは、脚載部１が略水平となるまで上方へ回動した位置（実線αで示す位置）においてのエアセルＳによる脚Ｍ１の施療個所である。脚載部１が略水平位置（実線αで示す位置）にあるときは、エアセルＳの略中心位置（エアセルＳによる施療位置）○と、脚Ｍ１から見た実際の施療個所Ｘは当然重なっている。しかし、脚載部１が降下方向へ回動して、例えば図１０（ａ）における脚載部１と座部２との連結角度が小さい位置（実線βで示す位置）に至った場合、施療位置○は脚Ｍ１に対して相対的にずれており、脚Ｍ１に対して大腿部側から足首側へ相対的に移動していることが分かる。
【０００４】
すなわち、脚載部１と座部２との連結角度が小さくなる（脚が曲がる状態）につれて（矢印ｆ１）、エアセルＳは、脚Ｍ１に対して実質的に大腿部側から足首側へ相対的に移動する。逆に、脚載部１と座部２との連結角度が大きくなる（脚が伸びる状態）につれて（矢印ｆ２）、エアセルＳは、脚Ｍ１に対して実質的に足首側から大腿部側へ相対的に移動することになる。このように、エアセルＳによるマッサージ中に、前記脚載部１の位置を変動可能とすることによって、エアセルＳが脚Ｍ１に対して実施的に移動するために、より広範囲にわたる脚マッサージが可能となるとともに、脚Ｍ１は屈伸運動を行う結果となって血行促進が図られることになり、より効果的な脚マッサージが行えるというものである。
【０００５】
また、図中の実線αで示す位置でエアセルＳを膨らませ、脚Ｍ１をしっかりとホールド状態として、その後に脚載部１を図中の実線βで示す位置に移動させた場合、脚Ｍ１はエアセルＳで両側からしっかりとホールドされており、なおかつ同エアセルＳの位置は足首側へと実施的に移動しようとすることから、脚Ｍ１の伸ばし効果が生起されることになる。
【０００６】
さらに、図１０（ｂ）においては、脚載部１を前後スライド可能としたものである。この場合も、エアセルＳを膨らませて脚Ｍ１をホールド状態として、その後に脚載部１を前後スライドさせることで、脚Ｍ１の伸ばし効果を生起させることができる。
【特許文献１】特開２００４−４１３８３号公報
【発明の開示】
【発明が解決しようとする課題】
【０００７】
ところで、脚載部を有するマッサージ機において、膝下から足裏までを支持するようなものや、足裏を支持できるステップ（以下、足裏支持体とする）を備えるマッサージ機がある。このようなマッサージ機では、被施療者の足裏をマッサージしたり、被施療者の体型に合わせて脚載部と座部との適正距離や適正角度を測り、効果的に脚マッサージを行うことができる。つまり、足裏保持部を有することは、被施療者にとって様々なメリットがある。
【０００８】
しかしながら、特許文献１に示すような効果的な脚マッサージを行う場合に、脚を伸縮することによりストレッチを行うことは大変効果的なマッサージであるが、足裏支持体を有する場合は、上記技術においては逆に脚マッサージの自由度を制限することになり、脚の伸縮によるマッサージ効果を十分に得ることができない。例えば、被施療者の身長が高い（脚が長い）場合は、被施療者が着座した際に足裏支持体があることで大腿部の裏側と座部との間に空間が生じてしまい、脚の伸縮を適正に行うことができない。また、足裏支持体を有する場合は被施療者の足裏を足裏支持体に当接させる必要があり、一般的に被施療者の膝が適正に伸びていない状態となる傾向がある。従って、足裏支持体を有しつつ、脚の伸縮によるストレッチにより効果的なマッサージを行うことは困難な課題を有する。
【０００９】
一方、特許文献１に示した技術のように足裏支持体を備えていない場合、脚載部のスライド移動及び／または回動の際に被施療者のかかとが地面に接触してしまう場合があるため、それを避けるために、脚載部の移動範囲が制限され、被施療者十分なマッサージを受けられない場合がある。これは、足裏支持体を備えていないために被施療者の脚の長さを把握することができず、脚載部がどの程度のスライド移動及び／または回動をすればよいかを被施療者ごとに設定できないために起こってしまう問題である。
【００１０】
本発明は前記課題を解決するためになされたものであり、足裏保持部を有するマッサージ機であっても脚の伸縮によるマッサージの効果を下げることなくマッサージ行うことができるマッサージ機を提供することを目的とする。
【課題を解決するための手段】
【００１１】
（１  脚載部のスライド移動）
本発明に係るマッサージ機は、被施療者が着座する座部と、前記被施療者の脚を狭持する脚狭持手段を有し、前記座部に回動可能に接続されて当該座部から離れる方向または当該座部に近づく方向にスライド移動する脚載部と、前記脚載部に接続され前記被施療者の足裏を支持する足裏支持体を備えるマッサージ機であって、前記足裏支持体を前記被施療者の足裏から離れる方向に移動後、上記脚狭持手段により被施療者の脚を狭持した状態で前記脚載部を下方向に回動させて施療を行うことを特徴とする。
【００１２】
このように、本発明においては足裏支持体を備えるマッサージ機であるため、例えば、被施療者の脚が長い場合に、脚載部を回動させたりスライド移動させたりしてストレッチを行う場合であっても被施療者のかかとが床に当たってしまうことがない。また、足裏支持体を備える場合は被施療者の膝が曲がってしまうことで、十分なストレッチを行えない可能性があるが、足裏支持体を被施療者の足裏から離れる方向に移動して被施療者の膝を伸ばす余裕空間を形成後、脚載部を下方向に回動させて施療を行うため、被施療者は自ら膝を伸ばしてから又は強制的に伸ばし、その後に脚狭持手段により被施療者の脚を狭持した状態で前記脚載部を下方向に回動させるストレッチを行うことができる。これにより、被施療者の脚を十分にストレッチすることができ、効果的なマッサージを行うことができる。
【００１３】
また、足裏支持体がない場合は、上記で述べたように被施療者のかかとが床に当たってしまう可能性があるため、脚載部を下方向に回動させて行う施療は安全性を考慮して、従来は強制的に脚載部が地面に対して十分高い位置で脚載部の回動を行っていた。また、脚載部が下方向に回動できる角度も制限されてしまうため、ストレッチ効果を十分に発揮できない場合もあった。しかし、足裏支持体を備えることで、例えば脚載部にスライド移動量や回動量等の検出手段を設けて、足裏支持体の位置を把握することが可能となり自動的にスライド移動量や回動量を調整出来る。したがって、足裏支持体の底面が床に当たらないぎりぎりの位置まで下降させることが可能となり、脚狭持手段により被施療者の脚を狭持した状態で前記脚載部を下方向に回動させる施療の開始位置や回動量の自由度が増す。
【００１４】
（２  脚を狭持して脚載部のスライド移動）
本発明に係るマッサージ機は、前記足裏支持体の移動が前記脚載部の脚狭持手段により被施療者の脚を狭持した状態で実行されることを特徴とする。
この場合、脚の挟持は完全な固定にはなりえないので、上述の発明ほどではないものの、脚載部のスライド移動にともなって、足裏支持体と足裏の間には脚を伸ばすための余裕空間が形成されるわけであるが、本発明においては足裏支持体の移動が前記脚載部の脚狭持手段により被施療者の脚、望ましい具体例では脹脛部を狭持した状態で実行されるため、被施療者の脚を引っ張ることによる伸びのストレッチを行うことが可能となる。
【００１５】
また、前記発明でも同様であるが足裏支持体は被施療者の足裏から離れる方向に移動可能なため、被施療者が脚の長さに応じて足裏支持体の施療開始位置を調整することができる。
さらに、足裏支持体を座部から遠ざかる方向に移動させる際は、足裏支持体が地面に接触しないように角度を調整しながら自動で回動することもできる。
【００１６】
（３  被施療者の昇降）
本発明に係るマッサージ機は、前記被施療者の身体を昇降させる昇降手段を備えることを特徴とする。
このように、本発明においては足裏支持体を備えることで被施療者の膝が曲がった状態となった場合でも、昇降手段により被施療者の身体を上昇させることで被施療者の膝を伸ばすことができ、効果的な伸びのストレッチを行うことができる。
【００１７】
（４  大腿部の昇降）
本発明に係るマッサージ機は、前記被施療者の大腿部の裏に対応する位置において昇降動作をする昇降手段を備えることを特徴とする。
このように、本発明においては被施療者大腿部の裏に対応する位置において昇降手段が昇降動作を行うため、大腿部を持ち上げたり、足裏支持体を備えることで生じてしまった被施療者の大腿部の裏の空間を埋めることができる。従って、その状態で脚載部を回動させたりスライド移動させたりしてストレッチを行うことで効果的なストレッチを行うことができる。
【００１８】
（５  ストレッチと昇降の組み合わせ）
本発明に係るマッサージ機は、前記脚載部の回動及び／またはスライド移動に応じて前記昇降手段が昇降動作を行うことを特徴とする。
このように、本発明においては昇降手段が昇降動作を行うので、昇降手段の上昇により足裏を足裏支持体から遠ざけることが可能であり、脚載部のスライド移動によるストレッチに合わせて昇降手段を上昇させれば被施療者の脚が長い場合でも、足裏支持体と足裏の間に被施療者の膝を伸ばす余裕空間が形成されやすくなり膝を伸ばした状態での効果的なストレッチを行うことができる。
【００１９】
また、脚載部の回動及び／またはスライド移動によるストレッチと同時に昇降手段による昇降動作を行うようにすれば、前記ストレッチに加えて昇降手段の昇降動作によるストレッチ効果も得ることができ、マッサージ効果を上げることができる。
なお、被施療者の脚を脚載部に狭持する場合はエアバッグ等の施療手段を用いることができる。そうすることで、脚の狭持と同時に脚のエアマッサージを行うことが可能となる。
【００２０】
（６  昇降手段が上昇する条件）
本発明に係るマッサージ機は、前記昇降手段が、スライド移動により設定された足裏支持体の施療開始位置に応じて上昇する動作をすることを特徴とする。
一般的に脚載部のスライド移動量には機構的に限界がある。上述のように本発明では被施療者が脚の長さに応じて足裏支持体の施療開始位置を調整することができるが、脚が特に長い場合、施療開始位置が限界もしくは限界に近い位置で調整される可能性がある。この場合、足裏支持体を前記被施療者の足裏から離れる方向に移動させようとすると、規定しているスライド移動の移動前に限界位置となってしまい、期待されたストレッチ効果が得られないという懸念がある。本発明においては昇降手段が、スライド移動により設定された足裏支持体の施療開始位置に応じて、上昇する動作をするため、施療開始位置が想定された所定位置より座部から離れている場合に、昇降手段により身体もしくは大腿部が上昇し、これによりスライド移動及び／又は回動によるストレッチ施療を効果的なものとし、想定された移動量を得られない欠点を補う。
【００２１】
このように、昇降手段の動作は、施療開始位置と予め設定された所定位置（限界位置から規定移動量を差し引いた位置）との比較により決定される。具体例を挙げると、例えば、座部から２０cm離れた位置を足裏支持体の最も座部に近い位置とし、３８cm離れた位置が最も遠い限界位置だとすれば、被施療者は２０cmから３８cmの間で施療開始位置を自在に調整し、設定された位置が自分の施療開始位置となる。一方本発明の脚載部の足裏支持体は被施療者の足裏から離れる方向に移動するものであるが、その移動量は規定移動量として規定されており、固定値でも施療開始位置の値に応じて変化させた値でも良いが、例えば７cmとする。つまり、この例では、所定位置が限界位置（３８cm）から規定移動量（７cm）を差し引いた位置である３１cmという値であり、この値と施療開始位置が比較される。被施療者の脚が短く、施療開始位置を２５cmに設定した場合は昇降手段は上昇せず、被施療者の脚が長く、施療開始位置を３５cmに設定した場合は３cmしか移動出来ないので昇降手段が上昇してストレッチ効果を補うことになる。なお、昇降手段の動作は上昇する／しないだけでなく上昇量を施療開始位置に応じて細かく決定しても良い。
【００２２】
また、昇降手段の上昇の判断材料は、必ずしも上記のような規定移動量移動出来るか否かだけではなく、被施療者が自分の脚の長さに応じて予め設定した施療開始位置から被施療者自身の脚の長さと使用状態を推測して判断をしても良い。つまり、施療開始位置が座部に近い場合は脚が長くない被施療者であると判断し、足裏支持体と足裏との間に膝を伸ばす余裕空間が簡単に得られ、昇降手段による上昇を行わなくても十分に効果的なストレッチを行うことができると見做し、逆に、設定した施療開始位置が座部から離れている場合は脚が長い被施療者であると判断し、足裏支持体４と足裏との間に膝を伸ばす余裕空間が簡単に得られず昇降手段で上昇させないと効果的なストレッチを行えないと見做して上昇動作を制御することも出来る。
【００２３】
（７  一旦縮めてからのストレッチ）
本発明に係るマッサージ機は、脚載部の足裏支持体が被施療者の足裏から離れる方向に移動する前に、前記座部に近づく方向にスライド移動することを特徴とする。
このように、本発明においては、脚載部の足裏支持体が被施療者の足裏から離れる方向に移動する前に、前記座部に近づく方向にスライド移動するため、被施療者の脚を伸ばす（または被施療者の脚が伸びる）前に一旦脚を縮ませる動作が入ることで、脚の伸びの動作にアクセントをつけることができ、ストレッチにメリハリをつけることで被施療者は効果的なマッサージを体感することができる。
【００２４】
（８  縮めながら昇降手段を上昇）
本発明に係るマッサージ機は、前記脚載部の足裏支持体が、前記座部に近づく方向にスライド移動する際に、前記昇降手段が上昇することを特徴とする。  このように、本発明においては、脚載部の足裏支持体が、座部に近づく方向にスライド移動する際に、昇降手段が上昇するため、その後のストレッチを効果的なものとすることができる。
【００２５】
（９  伸縮限界値の場合に一旦縮めてからのストレッチ）
本発明に係るマッサージ機は、スライド移動により設定された足裏支持体の施療開始位置が、前記座部から離れる方向にスライド移動することができる限界位置にほぼ等しい場合にのみ、当該脚載部が前記座部に近づく方向にスライド移動することを特徴とする。
【００２６】
このように、本発明においては、スライド移動により設定された足裏支持体の施療開始位置が、前記座部から離れる方向にスライド移動することができる限界位置にほぼ等しい場合にのみ、当該脚載部が前記座部に近づく方向にスライド移動するため、例えば被施療者の脚が極端に長く、脚載部のスライド機構上伸びのストレッチをすることができない場合であっても、一旦縮めた状態にしてストレッチの距離を確保することで伸びのストレッチを体感することができる。
【００２７】
（１０  エアバッグによる昇降）
本発明に係るマッサージ機は、前記昇降手段が、エアバッグで形成され、当該エアバッグの給排気により昇降動作を行うことを特徴とする。
このように、本発明においては、昇降手段がエアバッグ形成されているため被施療者を押圧によりマッサージすることができる。また、昇降手段によるエアマッサージ、足裏支持体のエアによるマッサージ、脚載部による脚伸ばしのストレッチ、及びエアマッサージ、並びに昇降手段の昇降動作によるストレッチ等を組み合わせることで、より多様で効果的なマッサージを行うことが可能となる。
【発明を実施するための最良の形態】
【００２８】
（本発明の第１の実施形態）
本発明の第１の実施形態に係るマッサージ機について、図に基づき説明する。図１は本実施形態に係るマッサージ機の全体斜視図、図２は本実施形態に係るマッサージ機の側面断面図である。
（１．マッサージ機全体の構成）
本実施形態におけるマッサージ機の基本的構成要素は、被施療者Ｍの背中を支持する背もたれ部２と、この背もたれ部２の下端と接し被施療者が着座した際に被施療者の臀部を支持する座部１と、当該座部１を支持する基台部５と、基台部５に接合し被施療者の肘を支持する肘置部１０と、座部１の先端下側に枢設され被施療者Ｍの脚が載置される脚載部３と、脚載部３の下端に被施療者Ｍが着座した場合に足裏を包むように支持する足裏支持体４と、背もたれ部２の内部に揉み玉９３及び揉み玉９３を動作させる揉み玉機構を有するメカユニット７０とを備える構成である。また、制御部であるマイクロコンピュータの素子が配置された基板が座部１直下の空間部に配置されている。
【００２９】
（２．背もたれ部）
背もたれ部２は、リクライニングでき、被施療者Ｍとの接触面の両端側にクッション材を配設し、被施療者Ｍが着座して背もたれ部２にもたれると背中が背もたれ部２の中心に位置するようになっている。背もたれ部２の正面側であって、両側縁近傍の位置にはそれぞれ左右に対をなす背中部用エアバッグａ６及び腰部用エアバッグａ７が、背中部及び腰部の高さ位置に応じて埋設してある。座部１と背もたれ部２は枢軸を介して連結されており、リクライニングの際はこの枢軸を中心に背もたれ部２を傾動させることで適度な角度でリクライニングを行う。リクライニング機能は、背もたれ部２の下端近傍にリニア動作を行うリクライニングアクチュエータ（図示しない）が架設されており、当該リクライニングアクチュエータの進退動作によって、前記背もたれ部２を、枢軸を中心に傾動させることで実現される。リクライニングアクチュエータはリクライニング用モータ（図示しない）から駆動力が与えられるようになっており与えられた駆動力によって進退動作を行う。また、前記枢軸の近傍には背もたれ部２の傾動角度を検出するリクライニング角度検出センサ（図示しない）が配設されており、リクライニング角度の調整を行っている。
【００３０】
（３．肘置部）
肘置部１０は、座部１の両側に位置し基台部５と接合している。背もたれ部２がリクライニングすることで座部１が傾動した場合でも、被施療者の前腕を安定的に支持できるようにカーブを有して形成されている。
【００３１】
（４．脚載部）
脚載部３は、座部１の前端側に位置しており、内部に２つの半円筒状の脚受１１を互いに平行に設けて、脚受１１の各両内側には、脚挟持手段としての左右に対をなす脚上部用エアバッグａ１及び脚下部用エアバッグａ２が、それぞれ脚受１１の中心軸の軸長方向へ所定の距離を隔てて配設してある。
【００３２】
脚載部３は、座部１に回動可能に接続されている。脚載部３の回動動作は、基台部５内に配設されたリニア動作するフットレストアクチュエータ（図示しない）の進退動作によって、脚載部３を枢支連結部材（図示しない）の枢軸回りに傾動させて実現している。フットレストアクチュエータにはフットレスト駆動用モータ（図示しない）から駆動力が与えられるようになっており、与えられた駆動力によって進退動作をする。また、前記枢支連結部材の近傍に、脚載部３の回動量の検出手段としての回動角度を検出するフットレスト角度検出センサ（図示しない）が配設してある。
【００３３】
また、脚載部３は座部１から離れる方向または近づく方向にスライド移動することが可能となっている。脚載部３のスライド移動は、基台部５内に配設されたリニア動作するスライド専用アクチュエータ（図示しない）の進退動作によって、脚載部３の回動位置を維持したまま枢支連結部材も追従して進退動作をし、脚載部３をスライド移動させている。また、前記枢支連結部材の近傍に、脚載部３のスライド移動量を検出する脚載部距離検出センサ（図示しない）が配設してある。
【００３４】
（５．足裏支持体）
足裏支持体４は脚載部３の先端部に位置しており、脚載部３に連結して配設されている。被施療者Ｍが着座した場合は、被施療者Ｍの足裏を左右方向、下方向、及び後方向から覆うようにして支持する。足裏支持体４には足裏部用エアバッグａ５が底部及び左右に対をなすように配設されている。
【００３５】
被施療者Ｍが着座した場合に、被施療者の脚の状態に応じてリモートコントロールからの指示により脚載部３の足裏支持体４の施療開始位置を調整して設定することができる。例えば、脚が窮屈に感じた場合は、リモートコントロールからの指示により脚載部３の足裏支持体４を伸ばす方向にスライド移動させて窮屈感を取り除くことができ、足裏が足裏支持体４に適切に当接してない場合は、脚載部３の足裏支持体４を縮める方向にスライド移動させて、適切に当接するように調整することができる。このように調整して設定された位置が施療開始位置である。
【００３６】
本実施形態においては、脚載部３はスライド専用アクチュエータの進退動作によって、足裏支持体４が座部前端から２０cmの位置を最も短い状態とし、その状態から１８cmの距離だけスライド移動させた位置を限界位置としている。したがって、被施療者は、座部前端を基準として足裏支持体４を２０cmから３８cmの間で自在に調整し、設定された位置が自分の施療開始位置となる。一方、本発明の脚載部の足裏支持体は、被施療者の足裏から離れる方向に移動するものであるが、その移動量は規定移動量として規定されており、固定値でも施療開始位置の値に応じて変化させた値でも良いが、本実施例では７cmとする。
【００３７】
（６．座部）
前記座部１には、当該座部１の幅より少し短い長さを有する横長の臀部用エアバッグａ３と大腿部の裏に対応する位置にある腿部用エアバッグａ４が所定の間隔を空けて並ぶように併設されている。これらの各エアバッグは、基台部５内に格納された給排気部によってそれぞれ給排気されるようになっている。
【００３８】
（７．各エアバッグの機能）
各エアバッグａ１、ａ２、・・・は空気の給排気により伸縮したり、膨張、収縮することでそれぞれのエアバッグが配置された位置における体の各所を刺激してマッサージを行う。
また、揉み玉によるマッサージと組み合わせることで、より効果的なマッサージを行うことができる。脚上部用エアバッグａ１、及び脚下部用エアバッグａ２にはエアによる直接的なマッサージ機能以外にも脚を狭持する機能も有する。脚上部用エアバッグａ１、及び脚下部用エアバッグａ２は被施療者の脚を狭持した状態で脚載部３を被施療者から離れる方向にスライドさせることで伸びによるストレッチ効果を得ることができる。また、脚載部３を下方に回動させることで同じように伸びによるストレッチ効果が得られる。
【００３９】
また、腿部用エアバッグａ４、臀部用エアバッグａ３はエアによる直接的なマッサージ機能以外にも、被施療者の身体を昇降させる機能や被施療者の大腿部の裏側と座部の間に生じた空間を埋める機能を有する。つまり、被施療者Ｍが着座した際に膝が曲がった状態であった場合でも、腿部用エアバッグａ４で被施療者の大腿部を上昇させたり、空間を埋めたりすることでストレッチ効果を向上させることができる。なお、臀部用エアバッグａ３も同時に上昇させれば身体を上昇させることも可能である。
【００４０】
（８．給排気部）
図３は、本実施形態に係るマッサージ機に設けた給排気部の構成を示すブロック図である。図中、１１８は各エアバッグａ１、ａ２、・・・に給気するためのエアポンプである。エアポンプ１１８には、当該エアポンプ１１８から圧入される大気を一時的に貯留すると共に、各エアバッグａ１、ａ２、・・・に分流する分流器１１９が連結してある。分流器１１９には、複数の吐気口が各エアバッグａ１、ａ２、・・・に対応して設けてあり、各吐気口には当該吐気口の開口を開閉する電磁弁Ｂ１、Ｂ２、・・・がそれぞれ設けてある。この分流器１１９の各吐気口と、対応するエアバッグａ１、ａ２、・・・とは耐圧ホースによってそれぞれ連結してある。そして、これらの電磁弁Ｂ１、Ｂ２、・・・の開閉動作を制御することによって所要のエアバッグａ１、ａ２、・・・に対して給排気して、エアバッグａ１、ａ２、・・・を膨張、収縮させる。これによって、被施療者に対してエアマッサージ及びその他の動作が行われる。
【００４１】
（９．脚載部のスライド及び回動）
図４は、本実施形態に係るマッサージ機の脚載部の動作を示した図である。図４（ａ）はマッサージ開始前の状態である。被施療者Ｍの脚が長い場合は、足裏支持体４を備えたことにより、図に示すように被施療者Ｍの膝が曲がってしまう可能性がある。また、脚が長い場合に限らず、浅く腰掛けている場合も膝が曲がってしまう可能性がある。さらに、足裏を足裏支持体４に当接するために被施療者Ｍは膝を曲げた状態で着座してしまう傾向がある。
【００４２】
図４（ａ）に示すように膝が曲がった状態で脚載部３を下方向に回動させても効果的なストレッチをすることができない。そこで、本実施形態に係るマッサージ機は、まず脚載部３の足裏支持体４を被施療者の足裏から離れる方向にスライド移動させてから、脚狭持手段である脚上部用エアバッグａ１及び脚下部用エアバッグａ２により被施療者の脚を狭持した状態で下方向に回動させて施療を行う。そうすることで、被施療者Ｍの膝が伸びた状態での効果的なストレッチを行うことができる。図４（ｂ）は、脚載部３をスライド移動させた状態を示した図である。
【００４３】
なお、脚載部３をスライド移動させる場合は、脚上部用エアバッグａ１、及び脚下部用エアバッグａ２を給気して被施療者Ｍの脚を狭持した状態で移動させるのが好ましい。そうすることで、脚を伸ばす余裕空間を確保しつつ強制的に被施療者の脚を伸ばすことができる。また、狭持しない場合においても、脚載部３をスライド移動させることで、被施療者Ｍが脚を伸ばす余裕空間を確保出来るため、効果的なストレッチを行うことができる。
また、足裏支持体４のみを脚載部３から遠ざかるようにスライド移動させてもよい。この場合、足裏部用エアバッグａ５で被施療者の足首部を狭持しておけば、足首の伸ばし効果を得ることができる。
【００４４】
（１０．座部のエアバッグを利用）
図５は本実施形態に係るマッサージ機の座部１に備えたエアバッグを利用してマッサージを行う様子を示した模式図である。図５（ａ）は座部１に備えられたエアバッグ（臀部用エアバッグａ３、腿部用エアバッグａ４）を利用していない場合である。この場合はエアバッグを利用しなくても被施療者Ｍの膝は伸びた状態となっており、脚載部３のスライド移動や回動を利用したストレッチを効果的に行うことができる。
【００４５】
図５（ｂ）は臀部用エアバッグａ３、腿部用エアバッグａ４の両方を利用して被施療者Ｍの身体を上昇させている図である。図５（ｂ）に示した被施療者Ｍの大腿部の裏側と座部１との間に空間が生じ、膝が曲がった状態になっている。これは本実施形態に係るマッサージ機が足裏保持部４を備えているため、足裏支持体４の調整の好みにより生じてしまう。この状態で脚載部３の脚上部用エアバッグａ１及び脚下部用エアバッグａ２により被施療者Ｍの脚を狭持して、脚載部３を座部１から遠ざかる方向にスライド移動させたり、下方向に回動させても、被施療者Ｍは脚のストレッチを効果的に受けることはできない。したがってこの場合は図５（ｂ）に示すように臀部用エアバッグａ３、及び腿部用エアバッグａ４により被施療者Ｍの身体を上昇させることで、大腿部の裏側と座部１との間に生じた空間を埋め、前記ストレッチを効果的に行うことができる。
【００４６】
図５（ｃ）は腿部用エアバッグａ４を給気して被施療者Ｍの大腿部の裏側と座部１との間に生じた空間を埋めている図である。図５（ｂ）の場合とは異なり、臀部用エアバッグａ３は給気されないため、被施療者Ｍの上半身が上昇することはないが、被施療者Ｍの大腿部の裏側と座部１との間に生じた空間が埋められているため、被施療者Ｍの膝裏に押圧力が加わり、膝の前面部は伸びた状態となる。この状態で脚載部３の脚上部用エアバッグａ１及び脚下部用エアバッグａ２により被施療者Ｍの脚を狭持して、脚載部３を座部１から遠ざかる方向にスライドさせると、被施療者Ｍは脚の伸びを十分に感じることができ効果的なストレッチを行うことができる。そして、スライド移動させた位置で脚載部３を下方向に回動させると、より効果的なストレッチを行うことができる。
なお、図５（ｂ）において被施療者Ｍの身体を上昇させる際は、腿部用エアバッグａ４は給気せずに臀部用エアバッグａ３のみを給気して上昇させるようにしてもよい。
【００４７】
（１１．ストレッチ）
図６は、本実施形態に係るマッサージ機によりマッサージを行う様子を示した模式図である。まず、脚載部３に備える脚上部用エアバッグａ１と脚下部用エアバッグａ２により被施療者Ｍの脚を狭持する。その状態で脚載部３の足裏保持部４を座部１から遠ざかる方向に（被施療者Ｍの足裏から離れる方向）に規定移動量（７cm）だけスライド移動する（矢印I）。この移動により、被施療者の脚をスライド移動方向に伸ばしてストレッチ（以下、シングルストレッチとする）を行うことができる。なお、この規定移動量は、脚が長く、施療開始位置が脚載部４のスライド移動量の限界位置に近い場合は規定通りの移動は出来ないものである。
【００４８】
前記の脚載部３がスライド移動した状態で脚載部３及び足裏保持部４を下方向に回動する（矢印II）ことにより、被施療者Ｍの脚の前面部を伸ばしてストレッチ（以下、フットストレッチとする）を行うことができる。脚載部３がシングルストレッチを行った時に規定移動量まで移動出来なかった場合は、フットストレッチを行う前に腿部用エアバッグａ４を給気する。腿部用エアバッグａ４を給気して移動量不足を補う（矢印III）ことで、前記のような効果的なフットストレッチを行うことができる。
【００４９】
昇降手段の動作となる腿部用エアバッグａ４の給気の判断は、本実施形態においては、施療開始位置と比較される所定位置を、限界位置（座部前端から３８cm）から規定移動量（７cm）を差し引いた位置である３１cmという値としている。したがって、被施療者の脚が短く、被施療者自身で施療開始位置を２５cmに設定した場合は、昇降手段は上昇しない。また、被施療者の脚が長く、施療開始位置を３５cmに設定した場合は３cmしか移動出来ないので、昇降手段が上昇してストレッチ効果を補うことになる。なお、昇降手段の動作は上昇する／しないだけでなく上昇量を施療開始位置に応じて細かく決定しても良い。
【００５０】
なお、腿部用エアバッグａ４の給気に際しては、被施療者が自分の脚の長さに応じて予め設定した施療開始位置から施療者自身の脚の長さを推測して動作させても良い。つまり、施療開始位置が座部に近い場合は、脚が長くない被施療者であると判断し、足裏支持体４と足裏との間に膝を伸ばす余裕空間が簡単に得られるため、腿部用エアバッグａ４を給気しなくても十分に効果的なストレッチを行うことができると見做す。かかる場合は、腿部用エアバッグａ４に給気を行わない。逆に、設定した座部から離れている場合は、脚が長い被施療者であると判断し、足裏支持体４と足裏との間に膝を伸ばす余裕空間が簡単に得られず腿部用エアバッグａ４を給気しないと効果的なストレッチを行えないと見做す。かかる場合は、腿部用エアバッグａ４に給気を行う。
【００５１】
前記シングルストレッチとフットストレッチを組み合わせたストレッチ（以下、ダブルストレッチとする）を行う場合は、シングルストレッチ後にフットストレッチを行ってもよいし、フットストレッチ後にシングルストレッチを行ってもよい。また、同時に行ってもよい。２つのストレッチを組み合わせることにより単独で行うストレッチより効果があるストレッチを実現することができる。
【００５２】
なお、腿部用エアバッグａ４を給気するタイミングは上記のタイミング（シングルストレッチとフットストレッチの間）に限定せず、例えばそれぞれのストレッチを行いながら同時に腿部用エアバッグａ４を給気すれば、給気によるストレッチ効果も加えることができる。
また、例えば、一旦は膝が曲がった状態でダブルストレッチを行い、その結果十分なマッサージ効果が得られなかった場合に腿部用エアバッグａ４を給気するようにしてもよい。
【００５３】
さらに、例えば、脚載部３及び足裏保持部４を最大限にスライド移動させて伸ばした状態でも被施療者の脚のほうがさらに長い場合は、最大限に伸ばした脚載部３を所定の距離だけ縮めながら腿部用エアバッグａ４に給気する。そして、再び脚載部３をスライド移動させたり回動させたりすることにより、前記各ストレッチを実現することができる。
【００５４】
さらにまた、腿部用エアバッグａ４は被施療者が任意に給排気できるようにしてもよい。そうすることで、腿部用エアバッグａ４を給気しなくても十分にダブルストレッチの効果を得ることができる被施療者であっても、さらにストレッチ効果を高めたい場合に、腿部用エアバッグａ４の給気によるストレッチ効果でマッサージ効果を上げることができる。
【００５５】
（１２．シングルストレッチの動作）
図７は、シングルストレッチの動作を示すフローチャートである。まず、被施療者Ｍが設定した施療開始位置を制御部に設定し（ステップＳ７０１）、その後脚上部用エアバッグａ１と脚下部用エアバッグａ２に給気をする。（ステップＳ７０２）。脚上部用エアバッグａ１と脚下部用エアバッグａ２への給気は、被施療者Ｍの脚を狭持するためである。次に、施療開始位置と予め記憶されている所定位置を比較して（ステップＳ７０３）、その結果に応じて腿部用エアバッグａ４の給気量を制御する。腿部用エアバッグａ４への給気は、被施療者Ｍの大腿部の裏側に腿部用エアバッグａ４からの圧力を加えてマッサージを行うためである。ここでは、ステップＳ７０１で設定した施療開始位置に応じて腿部用エアバッグａ４を制限なく膨張するかどうかを判断する。施療開始位置が所定位置より遠く、腿部用エアバッグａ４をストレッチの時に大腿部の昇降手段として利用する必要があると判断した場合は、完全膨張を行わず膨張に制限を加え（ステップＳ７０５）、残余給気量を大腿部の昇降に利用する。施療開始位置が所定位置より近く、大腿部の昇降は不要であると判断した場合には制限なく希望通りの膨張を行って押圧力を強くしてマッサージ効果を高める（ステップＳ７０４）。
【００５６】
なお、この時、大腿部の昇降は不要であると判断した場合であっても、完全膨張を行わないようにし、ストレッチの時に残余給気量の給排気によりマッサージ動作を行うようにしてもよい。
【００５７】
被施療者Ｍの脚が脚載部３に狭持されたら、脚載部３の足裏支持体４を被施療者の足裏から離れる方向に規定移動量だけスライド移動させようとするが、上述のステップＳ７０３の結果、施療開始位置が所定位置より遠いと判断された場合は、「限界位置が近く規定移動量だけの移動が出来ない」、または「脚の長い被施療者が使用している可能性が高く座部と大腿部の裏に空間がある虞が高い」と判断し、限界位置までスライド移動すると同時に腿部用エアバッグａ４に給気して（ステップＳ７０７）その後２秒間状態を保持する（ステップＳ７０８）。施療開始位置が所定位置より近い場合は、腿部用エアバッグａ４に給気せずにスライド移動させ（ステップＳ７０６）、その後２秒間状態を保持する（ステップＳ７０８）。そして、前記で給気した各エアバッグのエアを排気して（ステップＳ７０９）、処理を終了する。
【００５８】
なお、腿部用エアバッグａ４の給気は、完全膨張する前に予め停止させ、残余給気量の給排気をすることにより押圧によるマッサージ動作を行うことが可能となり、また押圧によるマッサージ動作を行わない場合は、完全膨張をして被施療者Ｍの脚を最大限に伸ばすことができるようにしてもよい。
【００５９】
また、上記所定位置は限界位置から規定移動量を差し引いた値として施療開始位置と比較する他、自由に設定出来、更には所定位置との比較をすることなく必要に応じて、又は常に大腿部を上昇させることも可能である。
【００６０】
さらに、上記スライド移動時（ステップＳ７０６、Ｓ７０７）にはスライド移動に先立って座部に近づく方向にスライド移動させても良い。さらにまた、上記ステップＳ７０３の結果、施療開始位置が限界位置とほぼ等しい場合にのみスライド移動に先立って座部に近づく方向にスライド移動させても良い。このように構成すれば、例えばスライド移動すべき状況で限界位置のために本来の動作が出来ない場合であっても、一旦縮めた状態にすることでスライド移動が実現出来、ストレッチを体感することができる。なお、座部に近づく方向にスライド移動させる場合にも、ほぼ同時に腿部用エアバッグａ４の給気を行っても良い。すなわち、上記した実施例においてはスライド移動と腿部用エアバッグａ４の給気は連係している。
【００６１】
（１３．第１のダブルストレッチの動作）
図８は、第１のダブルストレッチの動作を示すフローチャートである。まず、被施療者Ｍが設定した施療開始位置を制御部に設定し（ステップＳ８０１）、その後脚上部用エアバッグａ１と脚下部用エアバッグａ２に給気をする。（ステップＳ８０２）。脚上部用エアバッグａ１と脚下部用エアバッグａ２への給気は、被施療者Ｍの脚を狭持するためである。次に、施療開始位置と予め記憶されている所定位置を比較して（ステップＳ８０３）その結果に応じて腿部用エアバッグａ４を給気量を制御する。腿部用エアバッグａ４への給気は、被施療者Ｍの大腿部の裏側に腿部用エアバッグａ４からの圧力を加えてマッサージを行うためである。ここではステップＳ８０１で設定した施療開始位置に応じて腿部用エアバッグａ４を制限なく膨張するかどうかを判断する。施療開始位置が所定位置より遠く、腿部用エアバッグａ４をストレッチの時に大腿部の昇降手段として利用する必要があると判断した場合は、完全膨張を行わず膨張に制限を加え（ステップＳ８０５）、残余給気量を大腿部の昇降に利用する。施療開始位置が所定位置より近く、大腿部の昇降は不要であると判断した場合には制限なく希望通りの膨張を行って押圧力を強くしてマッサージ効果を高める（ステップＳ８０４）。
【００６２】
なお、この時大腿部の昇降は不要であると判断した場合であっても、完全膨張を行わないようにし、ストレッチの時に残余給気量の給排気によりマッサージ動作を行うようにしてもよい。
【００６３】
被施療者Ｍの脚が脚載部３に狭持されたら、脚載部３の足裏支持体４を被施療者の足裏から離れる方向に規定移動量だけスライド移動させようとするが、上述のステップＳ８０３の結果、施療開始位置が所定位置より遠いと判断された場合は、「限界位置が近く規定移動量だけの移動が出来ない」、または「脚の長い被施療者が使用している可能性が高く座部と大腿部の裏に空間がある虞が高い」と判断し、限界位置までスライド移動すると同時に腿部用エアバッグａ４に給気して（ステップＳ８０７）その後２秒間状態を保持する（ステップＳ８０８）。施療開始位置が所定位置より近い場合は、腿部用エアバッグａ４に給気せずにスライド移動させ（ステップＳ８０６）、その後２秒間状態を保持する（ステップＳ８０８）。ここまでの処理がシングルストレッチであり、図７の場合と全く同じ処理である。そして、現状のまま脚載部３を下方向に回動させて（ステップＳ８０９）、１秒間状態を保持する（ステップＳ８１０）。そして、前記で給気した各エアバッグのエアを排気して（ステップＳ８１１）、処理を終了する。シングルストレッチをした状態でさらにフットストレッチを行うため、単独のストレッチよりも効果をあげることができる。
【００６４】
（１４．第２のダブルストレッチの動作）
図９は、第２のダブルストレッチの動作を示すフローチャートである。ここでは、脚が長い被施療者に対する効果的なダブルストレッチの動作を示す。まず、被施療者Ｍが設定した施療開始位置を制御部に設定し（ステップＳ９０１）、脚上部用エアバッグａ１と脚下部用エアバッグａ２と腿部用エアバッグａ４を給気する（ステップＳ９０２）。被施療者Ｍの脚が脚載部３に狭持されたら、脚載部３を座部１から遠ざかる方向にスライド移動させる（ステップＳ９０３）。施療開始位置と所定値とを比較して（ステップＳ９０４）施療開始位置が所定値より遠い場合は、脚載部３を座部１に近づく方向に所定の距離だけスライド移動させながら腿部用エアバッグａ４に給気する（ステップＳ９０５）。
なお、この時腿部用エアバッグａ４への給気は必須ではない。
【００６５】
脚載部３を座部１に近づく方向に所定の距離だけ戻す動作が終わると脚載部３を座部１から遠ざかる方向に、ステップＳ９０５で戻した距離以上スライド移動させる（ステップＳ９０６）。これにより、脚が長い被施療者であっても効果的なシングルストレッチを体感することができる。その後は図１０の場合と同様に、２秒間状態を保持して（ステップＳ９０７）、フットストレッチを行って（ステップＳ９０８〜ステップＳ９１０）処理を終了する。
【００６６】
なお、上記所定値は任意に設定できる値であるが、上記で説明した所定位置と異なり、脚載部３が機構上スライド移動できる限界位置にほぼ等しい値に設定することが望ましい。このように設定すれば、被施療者の脚が極端に長く、施療開始位置が脚載部３のスライド移動の限界位置とほぼ同じ場合であっても、一旦縮めることで伸びのストレッチを体感でき、その他の場合は縮める動作がなく、通常の被施療者に対しては処理の効率化を図ることができる。また、それ以外の値であっても、一旦縮めてから伸ばす動作を行うことでアクセントのある伸びを実現でき、ストレッチにメリハリをつけることができる。さらに、所定値をゼロに設定することで、ストレッチを行う場合には必ず一旦縮めてからストレッチが開始されるため、施療開始位置の設定値によりマッサージ動作が変化することなく、装置としての動作が画一的となり、被施療者にとっては非常に使いやすいものとなる。
【００６７】
また、ストレッチ状態の保持時間は前記の時間に限定しない。また、被施療者Ｍが任意に時間設定できるようにしてもよい。
また、リクライニングにより座部１を傾動させることで被施療者Ｍの臀部を下降させて膝を伸ばした状態にしてもよい。
このように、本発明に係るマッサージでは足裏保持部４を備える場合であっても被施療者Ｍの脚を伸縮により効果的にストレッチすることができる。
【００６８】
以上の前記実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【図面の簡単な説明】
【００６９】
【図１】本発明に係るマッサージ機の全体斜視図である。
【図２】本発明に係るマッサージ機の側面断面図である。
【図３】本発明に係るマッサージ機に設けた給排気部の構成を示すブロック図である。
【図４】本発明に係るマッサージ機の脚載部の動作を示した図である。
【図５】本発明に係るマッサージ機の座部に備えたエアバッグを利用してマッサージを行う様子を示した模式図である。
【図６】本発明に係るマッサージ機によりマッサージを行う様子を示した模式図である。
【図７】本発明に係るマッサージ機のシングルストレッチの動作を示すフローチャートである。
【図８】本発明に係るマッサージ機の第１のダブルストレッチの動作を示すフローチャートである。
【図９】本発明に係るマッサージ機の第２のダブルストレッチの動作を示すフローチャートである。
【図１０】従来技術を示す図である。
【符号の説明】
【００７０】
ａ１  脚上部用エアバッグ
ａ２  脚下部用エアバッグ
ａ３  臀部用エアバッグ
ａ４  腿部用エアバッグ
ａ５  足裏部用エアバッグ
ａ６  背中部用エアバッグ
ａ７  腰部用エアバッグ
ａ８  腿臀部用エアバッグ
１  座部
２  背もたれ部
３  脚載部
４  足裏支持体
５  基台部
１０  肘置部
１１  脚受
１１８  エアポンプ
１１９  分流器
【図１】
2008295879.tif 000003
【図２】
2008295879.tif 000004
【図３】
2008295879.tif 000005
【図４】
2008295879.tif 000006
【図５】
2008295879.tif 000007
【図６】
2008295879.tif 000008
【図７】
2008295879.tif 000009
【図８】
2008295879.tif 000010
【図９】
2008295879.tif 000011
【図１０】
2008295879.tif 000012